(57)【要約】      （修正有）【課題】収納された２つのプリペイドカード等が見開きの構造によって同時に視認可能となるカード収納体を提供することにある。【解決手段】カード収納体は、正面部１０１と、正面部から延びる底面部１０５と、底面部から延びる背面部と、背面部の左側に配置され背面部に対してほぼ直角に位置づけられる左側面部１０３と、背面部の右側に配置され背面部に対してほぼ直角に位置づけられる右側面部１０４を備える。ここで、正面部と背面部は、回動可能な関係でそれぞれ底面部に接続され、左側面部と右側面部は、背面部の上端に向かって先細の形状となっており、正面部と背面部を閉じた状態にすることにより、多角形のボックス構造となる。【選択図】図６
2018083658.tif 000002
【特許請求の範囲】
【請求項１】
正面部と、
前記正面部から延びる底面部と、
前記底面部から延びる背面部と、
前記背面部の左側に配置され、前記背面部に対してほぼ直角で前記正面部の方向に位置づけられる左側面部と、
前記背面部の右側に配置され、前記背面部に対してほぼ直角で前記正面部の方向に位置づけられる右側面部と、を備えた本体部を含むカード収納体であって、
前記正面部と前記背面部とが、回動可能な関係でそれぞれ前記底面部に接続され、
前記左側面部と前記右側面部はそれぞれ、前記背面部の上端に向かって先細の形状となっていることを特徴とするカード収納体。
【請求項２】
前記カード収納体の内部であって前記正面部の裏側には、カードの一部が挿入される第１カード保持部が設けられ、
前記カード収納体の内部であって前記背面部の裏側には、カードの一部が挿入される第２カード保持部が設けられ、
前記正面部と前記背面部の少なくともいずれかを回動させて、前記正面部と前記背面部とが見開き状態となった場合に、前記第１カード保持部に保持された第１カードの表面の少なくとも一部と、前記第２カード保持部に保持された第２カードの表面の少なくとも一部を同時に視認しうる構成であることを特徴とする、請求項１に記載のカード収納体。
【請求項３】
前記正面部と前記背面部の少なくともいずれかの回動によって、前記正面部の上端と前記背面部の上端とが近接又は接する状態に遷移する場合、前記正面部から突出して前記背面部に対してほぼ直角に延びる第１突出部が、前記左側面部の側部に形成された第１切欠部に挿入されるとともに、前記正面部から突出して前記背面部に対してほぼ直角に延びる第２突出部が、前記右側面部の側部に形成された第２切欠部に挿入されることによって、前記正面部と前記背面部の位置関係が維持されることを特徴とする、請求項１又は２に記載のカード収納体。
【請求項４】
前記第１突出部、及び前記第２突出部はそれぞれ、前記正面部の側部から延びる第１傾斜縁部、前記第１傾斜縁部に連接される第２傾斜縁部、前記正面部の側部から延び、前記第１傾斜縁部より前記正面部の上端に近い位置に配置される第３傾斜縁部、及び前記第３傾斜縁部に連接される第４傾斜縁部を含み、
前記第１傾斜縁部と前記第３傾斜縁部は、前記第１突出部、及び前記第２突出部のそれぞれが、前記正面部の側部に向けて先細の形状となるような傾斜をもって構成され、
前記第２傾斜縁部と前記正面部の側部とのなす角が、前記第４傾斜縁部と前記正面部の側部とのなす角より大きくなるよう構成されることを特徴とする、請求項３に記載のカード収納体。
【発明の詳細な説明】
【技術分野】
【０００１】
この発明は、カードを収納可能なカード収納体に関する。
【背景技術】
【０００２】
近年、コンビニエンスストア等の販売店舗では、音楽、ソフトウエア、書籍といった様々な商品のオンラインストアで利用可能なプリペイドカードが販売されており、その種類は、利用者のニーズに合わせて年々増加してきている。
【０００３】
このようなプリペイドカードは、購入時に販売店舗のＰＯＳシステムでアクティベートされて初めて有効にされるため、ＰＯＳＡ（登録商標：Point  Of  Sales  Activation）カードと呼ばれる。このカードは、上記のように、購入前は無効であるため、商品陳列時点で盗難の恐れがなく、また、購入後は誰でも利用可能であるため、プレゼントやギフトとして利用されることも多い。
【０００４】
上記のように、プリペイドカードが、プレゼントやギフトに用いられることが多いために、販売店舗では、ＰＯＳＡカードの近くに、ＰＯＳＡカードを入れて他人に渡すためのぽち袋、お年玉袋、カード収納ボックス等が陳列されている。
【０００５】
また、特許文献１には、コンピュータによりアクティベート可能なギフトカードを保持可能なグリーティングカードが提案されている。
【先行技術文献】
【特許文献】
【０００６】
【特許文献１】米国特許第７０２４８０７号明細書
【発明の概要】
【発明が解決しようとする課題】
【０００７】
しかしながら、上記のポチ袋やお年玉袋のような袋状のものにプリペイドカードを入れてプレゼントをする場合、その形状が薄く簡素であるため、プレゼントを受け取る側の期待感は高まらない。また、プリペイドカードとともにメッセージカードやさらなるプリペイドカードを添付するような場合、これら２枚のカードは重ねて袋に入れられるため、プレゼントを受け取る側は、これを１枚１枚順に確認していくこととなり、簡素な形態でのプレゼントであることも相まって、プレゼントによる大きな感動が得られない。
【０００８】
一方、カード収納ボックスにプリペイドカードが収納されている場合、袋状のものより多少の期待感を与えることができるかもしれないが、プリペイドカードとともにメッセージカード等を添付するような場合、ボックスの蓋を取ったり開いたりしたときに、やはり、この場合も、これら２枚のカードは重ねて収納され、プレゼントを受け取る側は、これを１枚１枚順に確認していくこととなる。
【０００９】
また、特許文献１のグリーティングカードにギフトカードが保持される場合も、その形状が薄く簡素であるため、プレゼントを受け取る側に大きな期待感を与えることはできない。
【００１０】
従って、本発明の目的は、プリペイドカードやメンバーズカード等を複数収納可能なデザイン性の高いカード収納体であって、見開きの構造によって、２つのカードを同時に視認可能なカード収納体を提供することにある。
【００１１】
さらに、本発明の目的は、それぞれ内側にカードを保持する前面部と背面部とが見開き構造となっており、見開き構造を閉じた場合に、底面部で地面と接することにより自立可能なバッグ型のカード収納体を提供することにある。
【００１２】
またさらに、本発明の目的は、見開き構造を閉じた場合に、前面部と背面部が適切にロックされ、かつ、前面部と背面部とが滑らかにロック状態に移行するとともに、容易には開放状態とならないロック構造を有するカード収納体を提供することにある。
【００１３】
またさらに、本発明の目的は、本体部が、１つの部品により組み立て可能（例えば、所定形状に切り取られた１つの紙素材を折り曲げ、接着等により組み立て可能）なカード収納体を提供することにある。
【課題を解決するための手段】
【００１４】
本発明の第１の実施態様に係る発明は、下記の構成を有する。
正面部と、
前記正面部から延びる底面部と、
前記底面部から延びる背面部と、
前記背面部の左側に配置され、前記背面部に対してほぼ直角で前記正面部の方向に位置づけられる左側面部と、
前記背面部の右側に配置され、前記背面部に対してほぼ直角で前記正面部の方向に位置づけられる右側面部と、を備えた本体部を含むカード収納体であって、
前記正面部と前記背面部とが、回動可能な関係でそれぞれ前記底面部に接続され、
前記左側面部と前記右側面部はそれぞれ、前記背面部の上端に向かって先細の形状となっていることを特徴とするカード収納体。
【００１５】
本発明の第２の実施態様に係る発明は、第１の実施態様において下記の構成を有する。
前記カード収納体の内部であって前記正面部の裏側には、カードの一部が挿入される第１カード保持部（例えば、第１カード挿入口１０１ｂ）が設けられ、
前記カード収納体の内部であって前記背面部の裏側には、カードの一部が挿入される第２カード保持部（例えば、第２カード挿入口１０２ｂ）が設けられ、
前記正面部と前記背面部の少なくともいずれかを回動させて、前記正面部と前記背面部とが見開き状態となった場合に、前記第１カード保持部に保持された第１カードの表面の少なくとも一部と、前記第２カード保持部に保持された第２カードの表面の少なくとも一部を同時に視認しうるよう構成される。
【００１６】
本発明の第３の実施態様に係る発明は、第１又は第２の実施態様において下記の構成を有する。
前記正面部と前記背面部の少なくともいずれかの回動によって、前記正面部の上端と前記背面部の上端とが近接又は接する状態に遷移する場合、前記正面部から突出して前記背面部に対してほぼ直角に延びる第１突出部（例えば、突出部１３４ａ）が、前記左側面部の側部に形成された第１切欠部（例えば、切欠部１３６ａ）に挿入されるとともに、前記正面部から突出して前記背面部に対してほぼ直角に延びる第２突出部（例えば、突出部１３４ｂ）が、前記右側面部の側部に形成された第２切欠部（例えば、切欠部１３６ｂ）に挿入されることによって、前記正面部と前記背面部の位置関係が維持されるよう構成される。
【００１７】
本発明の第４の実施態様に係る発明は、第３の実施態様において下記の構成を有する。
前記第１突出部、及び前記第２突出部はそれぞれ、前記正面部の側部から延びる第１傾斜縁部（例えば、傾斜縁部１６１）、前記第１傾斜縁部に連接される第２傾斜縁部（例えば、傾斜縁部１６２）、前記正面部の側部から延び、前記第１傾斜縁部より前記正面部の上端に近い位置に配置される第３傾斜縁部（例えば、傾斜縁部１６３）、及び前記第３傾斜縁部に連接される第４傾斜縁部（例えば、傾斜縁部１６４）を含み、
前記第１傾斜縁部と前記第３傾斜縁部は、前記第１突出部、及び前記第２突出部のそれぞれが、前記正面部の側部に向けて先細の形状となるような傾斜をもって構成され、
前記第２傾斜縁部と前記正面部の側部とのなす角（例えば、角Ｑ）が、前記第４傾斜縁部と前記正面部の側部とのなす角（例えば、角Ｒ）より大きくなるよう構成される。
【発明の効果】
【００１８】
本発明に係るカード収納体によって、収納された２つのプリペイドカード等が見開きの構造によって同時に視認可能となる。
【図面の簡単な説明】
【００１９】
【図１】本発明の第１実施形態に係るカード収納体の展開図である。
【図２】本発明の第１実施形態に係るカード収納体の正面図と背面図である。
【図３】本発明の第１実施形態に係るカード収納体の左側面図と右側面図である。
【図４】本発明の第１実施形態に係るカード収納体の平面図と底面図である。
【図５】本発明の第１実施形態に係るカード収納体の斜視図である。
【図６】本発明の第１実施形態に係るカード収納体の開閉途中を表す斜視図である。
【図７】本発明の第１実施形態に係るカード収納体の見開きとなった状態を示す図である。
【図８】本発明の第１実施形態に係るカード収納体の見開きとなった状態において、プリペイドカード等を収納した様子を示す図である。
【図９】本発明の第２実施形態に係るカード収納体の展開図である。
【図１０】本発明の第２実施形態に係るカード収納体の正面図と背面図である。
【図１１】本発明の第２実施形態に係るカード収納体の左側面図と右側面図である。
【図１２】本発明の第２実施形態に係るカード収納体の平面図と底面図である。
【図１３】本発明の第２実施形態に係るカード収納体の斜視図である。
【図１４】本発明の第２実施形態に係るカード収納体の開閉途中を表す斜視図である。
【図１５】本発明の第２実施形態に係るカード収納体の見開きとなった状態を示す図である。
【図１６】本発明の第２実施形態に係るカード収納体の見開きとなった状態において、プリペイドカード等を収納した様子を示す図である。
【図１７】本発明のカード収納体におけるロック構造を説明するための図である。
【図１８】本発明のカード収納体におけるロック構造を説明するための図である。
【発明を実施するための形態】
【００２０】
本発明の第１実施形態に係るカード収納体１００は、正面部１０１、背面部１０２、左側面部１０３、右側面部１０４、及び底面部１０５からなる五面体の本体部１１０を含む。ここで、左側面部１０３と右側面部１０４は、同じ三角形の形状であり、上記の本体部１１０は、いわゆる多角形（三角柱）のボックス構造として構成される。
【００２１】
図１は、本発明の第１実施形態に係る上記の本体部１１０の展開図である。この本体部１１０は、紙や樹脂など、様々な材料により構成することができる。
【００２２】
さらに、本実施形態のカード収納体１００は、２つの取手１２０を備えることができる。取手１２０は、繊維、紙、樹脂など、様々な材料により構成することができる。また、本実施形態のカード収納体１００は、様々な形状、態様の取手を本体部１１０に付けることができるが、一切付けないようにすることもできる。
【００２３】
図１に示す展開図のように切り出された紙などの材料を適宜折り畳み（図１では、折り線を一点鎖線により示した）、必要に応じて接着剤やシール等を使用して固定することにより、図２ないし図５に示すような本体部１１０が形成され、さらに、取手１２０（１２０ａ、１２０ｂ）の端部は、両面シール等で本体部１１０に固定される。
【００２４】
図１に示す正面部１０１の裏側には、折り線Ａに沿って正面裏部１０１ａが折り曲げられ、接着剤等で固定される。正面裏部１０１ａには、カードが挿入される穴である第１カード挿入口１０１ｂが形成されている。
【００２５】
また、正面部１０１には、取手１２０ａの端部が挿入される穴である第１取手左挿入口１３５ａと第１取手右挿入口１３５ｂが配置され、さらに、正面部１０１の側部には、ロック機構の一部である突出部１３４ａと突出部１３４ｂが設けられ、それぞれ折り線Ｋ、折り線Ｌに沿って、正面部１０１とほぼ直角に折り曲げられる。
【００２６】
底面部１０５は、折り線Ｂに沿って正面部１０１が折り曲げられ、折り線Ｃに沿って背面部１０２が折り曲げられることによって形成される。
【００２７】
図１に示す背面部１０２の裏側には、折り線Ｄに沿って背面裏部１０２ａが折り曲げられ、接着剤等で固定される。背面裏部１０２ａには、カードが挿入される穴である第２カード挿入口１０２ｂが形成されている。
【００２８】
また、背面部１０２には、取手１２０ｂの端部が挿入される穴である第２取手左挿入口１３１ａと第２取手右挿入口１３１ｂが配置される。
【００２９】
左側面部１０３は、折り線Ｅに沿って背面部１０２が（左側面部１０３とほぼ直角に）折り曲げられ、折り線Ｆに沿って左縁部１３２ａが（左側面部１０３とほぼ直角に）折り曲げられることで形成される。また、左側面部１０３の側部には、折り線Ｆに沿って、ロック機構の一部である切欠部１３６ａが設けられている。さらに、左側面部１０３の下側には、左側面延出部１３３ａが延び、折り線Ｇに沿って、左側面部１０３とほぼ直角に折り曲げられる。
【００３０】
右側面部１０４は、折り線Ｈに沿って背面部１０２が（右側面部１０４とほぼ直角に）折り曲げられ、折り線Ｉに沿って右縁部１３２ｂが（右側面部１０４とほぼ直角に）折り曲げられることで形成される。また、右側面部１０４の側部には、折り線Ｉに沿って、ロック機構の一部である切欠部１３６ｂが設けられている。さらに、右側面部１０４の下側には、右側面延出部１３３ｂが延び、折り線Ｊに沿って、右側面部１０４とほぼ直角に折り曲げられる。
【００３１】
取手１２０ａの端部は、第１取手左挿入口１３５ａと第１取手右挿入口１３５ｂにそれぞれ、正面部１０１の表側から裏側に向けて挿入され、両面シール等で固定された後、正面裏部１０１ａに挟持される。同様に、取手１２０ｂの端部は、第２取手左挿入口１３１ａと第２取手右挿入口１３１ｂにそれぞれ、背面部１０２の表側から裏側に向けて挿入され、両面シール等で固定された後、背面裏部１０２ａに挟持される。
【００３２】
なお、この例では、正面部１０１の表面、及び背面部１０２の表面に、それぞれ１２個の図形からなる模様が付されているが、別の模様を付してもよい。また、正面部１０１と背面部１０２の少なくとも一方について、模様を付さないようにすることもできる。また、正面裏部１０１ａや背面裏部１０２ａの表面に上記のような模様を付して、カードとともに視認できるようにすることもできる。
【００３３】
このようにして構成された本実施形態に係るカード収納体１００は、図２ないし図５に示す通りの形状である。
【００３４】
図２（ａ）は、カード収納体１００の正面図であり、正面部１０１と、正面部１０１に設けられた第１取手左挿入口１３５ａと第１取手右挿入口１３５ｂに挿入された取手１２０ａが示されている。
【００３５】
図２（ｂ）は、カード収納体１００の背面図であり、背面部１０２と、背面部１０２に設けられた第２取手左挿入口１３１ａと第２取手右挿入口１３１ｂに挿入された取手１２０ｂが示されている。
【００３６】
図３（ａ）は、カード収納体１００の左側面図であり、右側に取手１２０ａ、正面部１０１、及び切欠部１３６ａが示され、左側に取手１２０ｂと背面部１０２が示されている。
【００３７】
図３（ｂ）は、カード収納体１００の右側面図であり、右側に取手１２０ｂと背面部１０２が示され、左側に取手１２０ａ、切欠部１３６ｂ、及び正面部１０１が示されている。
【００３８】
図４（ａ）は、カード収納体１００の平面図であり、上側には、背面部１０２と取手１２０ｂが示され、下側には、正面部１０１と取手１２０ａが示されている。
【００３９】
図４（ｂ）は、カード収納体１００の底面図であり、底面部１０５が示されている。
【００４０】
図５は、カード収納体１００の斜視図である。ここでは、正面部１０１と背面部１０２が閉じた状態（例えば、正面部１０１の上端と背面部１０２の上端が接するよう配置された状態）が示されている。カード収納体１００を入手した者（例えば、プレゼントの贈り側）は、例えば、カード収納体１００の中にプリペイドカードとメッセージカードを収納し、このような閉じた状態にして、プレゼントの相手に手渡ししたり、贈ったりする。
【００４１】
カード収納体１００のこうしたデザイン性の高い外観により、これを受け取った者（プレゼントの相手）に（カード収納体１００のどのようなプレゼントが入っているか）大きな期待を抱かせることができる。
【００４２】
図５の斜視図では、正面部１０１、右側面部１０４、取手１２０（１２０ａ、１２０ｂ）が表示され、正面部１０１の右側縁部の下側には、切欠部１３６ｂが示され、正面部１０１の対応する左側縁部には、切欠部１３６ａが示されている。
【００４３】
右側面部１０４と（この図では見えない）左側面部１０３が、正面部１０１（背面部１０２）の上端に向けて先細（テーパ状）となる形状（例えば、三角形）であるために、カード収納体１００は、底面部１０５を下にして安定的に自立することができ、そのバッグ型の形状とあいまって、デザイン性の高さがより強調され、結果的にプレゼント内容への期待感を高めることができる。
【００４４】
右側面部１０４と左側面部１０３は、この例では、三角形であるが、正面部１０１の上端や背面部１０２の上端の方向に向かって先細（テーパ状）となる台形等の形状であってもよい。
【００４５】
図６は、カード収納体１００の斜視図であり、ここでは、正面部１０１と背面部１０２が開いた状態であり、正面部１０１と背面部１０２とが完全な見開き状態に遷移する途中の見開き状態（開放状態）である。なお、本明細書では、正面部１０１と背面部１０２の少なくともいずれかが回動され、正面部１０１の上端と背面部１０２の上端がわずかに開放された状態を含め、「見開き状態」と称する。こうした正面部１０１と背面部１０２の「見開き状態」において、正面部１０１の裏側と背面部１０２の裏側にそれぞれセットされた２枚のカードを同時に視認しうる構成となる。
【００４６】
一方、正面部１０１と背面部１０２の少なくともいずれかが回動され、正面部１０１の上端と背面部１０２の上端が接する状態の場合、カード収納体１００が「閉じた状態」であると称する。なお、カード収納体１００の左側面部１０３や右側面部１０４が台形のような図形である場合、正面部１０１の上端と背面部１０２の上端が接していなくても、これらが近接し、さらに、他の部材によってカード収納体１００の内部において概ね密閉された空間が形成されれば、その場合も「閉じた状態」であるとする。
【００４７】
図６の斜視図では、正面部１０１と正面部１０１の上端付近から延びる取手１２０ａが示されている。また、正面部１０１には、正面部１０１から突出し、（折り曲げ等により）背面部１０２に対してほぼ直角に延びる突出部１３４ａ、１３４ｂが配置される。さらに、正面部１０１の下端から底面部１０５が延び、さらに、底面部１０５から正面部１０１の反対側に背面部１０２が延びるようになっている。このような構成により、正面部１０１と背面部１０２は、互いに回動可能な関係でそれぞれ底面部１０５に接続されることになる。
【００４８】
背面部１０２には、上端から取手１２０ｂが延び、背面部１０２の裏側には、背面部１０２と一体的に接着された背面裏部１０２ａが配置され、背面裏部１０２ａの中央部付近には、第２カード挿入口１０２ｂが配置されている。
【００４９】
背面部１０２の右側には、背面部１０２から延びる右側面部１０４、右側面部１０４から延びる右縁部１３２ｂが配置され、右側面部１０４と右縁部１３２ｂの折り目には（図１に示す折り線Ｉに沿って）切欠部１３６ｂが設けられている。また、右側面部１０４の下側からは、右側面延出部１３３ｂが延びている。
【００５０】
背面部１０２の左側には、背面部１０２から延びる左側面部１０３、左側面部１０３から延びる左縁部１３２ａが配置され、左側面部１０３と左縁部１３２ａの折り目には（図１に示す折り線Ｆに沿って）切欠部１３６ａが設けられている。また、左側面部１０３の下側からは、左側面延出部１３３ａが延びている。
【００５１】
正面部１０１の突出部１３４ａ、１３４ｂと、背面部１０２の左縁部１３２ａ、右縁部１３２ｂにそれぞれ設けられた切欠部１３６ａ、１３６ｂは、後で説明するロック機構を構成する。
【００５２】
正面部１０１の突出部１３４ａ、１３４ｂはそれぞれ、正面部１０１の上端を背面部１０２の上端に接するよう移動させると、対応する切欠部１３６ａ、１３６ｂに挿入され、正面部１０１の上端が背面部１０２の上端に接した状態（すなわち、正面部１０１と背面部１０２が閉じた状態）となり、この状態がそのまま維持される。
【００５３】
正面部１０１と背面部１０２が閉じた状態になると、カード収納体１００を入手した者（例えば、プレゼントの贈り側やプレゼントの相手等）が所定の力を加えない限り開放状態とならない。正面部１０１と背面部１０２が開放状態となる場合、正面部１０１の突出部１３４ａ、１３４ｂはそれぞれ、対応する切欠部１３６ａ、１３６ｂから引き出される。また、販売時に固定用シールを同梱し、プレゼントの贈り側等が、この固定用シールを用いて、正面部１０１と背面部１０２が開放状態にならないように、正面部１０１の上端と背面部１０２の上端を固着させるようにすることもできる。
【００５４】
なお、カード収納体１００の本体部１１０は、図１に示すような一繋がりの図形の紙等を適宜折り畳み接着することで構成できるが、個別のピースを接着・接続することで構成するようにしてもよい。
【００５５】
図７は、正面部１０１と背面部１０２が完全に開放された状態（完全な見開き状態）を示している。
【００５６】
図７では、正面部１０１の裏面である正面裏部１０１ａが示されており、取手１２０ａの端部はそれぞれ、正面部１０１の表面に設けられた第１取手左挿入口１３５ａと第１取手右挿入口１３５ｂにそれぞれ挿入され、正面部１０１と正面裏部１０１ａとに挟持される。このとき、正面部１０１と正面裏部１０１ａとの間には、例えば、両面シール１４１が配置され、取手１２０ａのそれぞれの端部を内部で固着する。
【００５７】
同様に、取手１２０ｂの端部はそれぞれ、背面部１０２の表面に設けられた第２取手左挿入口１３１ａと第２取手右挿入口１３１ｂにそれぞれ挿入され、背面部１０２と背面裏部１０２ａとに挟持される。このとき、背面部１０２と背面裏部１０２ａとの間には、例えば、両面シール１４４が配置され、取手１２０ｂのそれぞれの端部を内部で固着する。
【００５８】
また、正面部１０１と正面裏部１０１ａは、例えば、接着部１４２の領域において、接着剤や両面シール等により接着され、背面部１０２と背面裏部１０２ａは、例えば、接着部１４３の領域において、接着剤や両面シール等により接着される。
【００５９】
このような接着により、正面裏部１０１ａに設けられた第１カード挿入口１０１ｂから、正面部１０１と正面裏部１０１ａとの間の非接着部分にカードを差し込むことができるように構成される。同様に、背面裏部１０２ａに設けられた第２カード挿入口１０２ｂから、背面部１０２と背面裏部１０２ａとの間の非接着部分にカードを差し込むことができるように構成される。
【００６０】
図８は、正面部１０１と背面部１０２が完全に開放された状態において、実際にカードが挿入された場合の様子を示している。
【００６１】
正面部１０１には（正面裏部１０１ａに設けられた第１カード挿入口１０１ｂには）メッセージカード１５１が挿入され、メッセージカード１５１の左側約半分は、正面裏部１０１ａより露出して記載内容が視認できる状態となっており、メッセージカード１５１の右側約半分は、正面部１０１と正面裏部１０１ａとの間の非接着部分に格納される。
【００６２】
背面部１０２には（背面裏部１０２ａに設けられた第２カード挿入口１０２ｂには）プリペイドカード１５２が挿入され、プリペイドカード１５２の右側約半分は、背面裏部１０２ａより露出して記載内容が視認できる状態となっており、プリペイドカード１５２の左側約半分は、背面部１０２と背面裏部１０２ａとの間の非接着部分に格納される。
【００６３】
なお、この例では、メッセージカード１５１の右側約半分と、プリペイドカード１５２に左側約半分が、それぞれ正面裏部１０１ａの下側、背面裏部１０２ａの下側に隠れる構成となっているが、第１カード挿入口１０１ｂ、第２カード挿入口１０２ｂの位置を調整して、メッセージカード１５１、プリペイドカード１５２のより多くの部分が露出されるように構成することもできる。
【００６４】
また、正面裏部１０１ａと背面裏部１０２ａの一部を透明部材として、カードの全範囲、又はより多くの範囲を視認可能とするように構成することもできる。
【００６５】
またさらに、この例では、カードを、第１カード挿入口１０１ｂ、第２カード挿入口１０２ｂに挿入することにより保持したが、カードの対向角付近に切り欠きを設ける等して保持したり、他の保持部材を正面裏部１０１ａや背面裏部１０２ａに追加してカードを保持するようにしてもよい。
【００６６】
本発明の第１実施形態に係るカード収納体１００によって、例えば、プレゼントを受け取った相手は、図５に示すような自立するバッグ型のカード収納体１００の状態から、正面部１０１と背面部１０２を開放させて図８のような見開きの状態にすることによって、内部に整然と配列された形で収納されたカードを２つ同時に視認することができ、この例では、左側にメッセージカード、右側にプリペイドカードを見ることとなる。
【００６７】
このようなカード収納体１００の構成により、プレゼントを受け取った相手には、カード収納体１００を開ける前に大きな期待感が与えられ、カード収納体１００を開けた場合は、一瞬にして大きな感動を受けることができる。
【００６８】
本発明の第２実施形態に係るカード収納体２００は、正面部２０１、背面部２０２、左側面部２０３、右側面部２０４、及び底面部２０５からなる五面体の本体部２１０を含む。ここで、左側面部２０３と右側面部２０４は、同じ三角形の形状であり、上記の本体部２１０は、いわゆる多角形（三角柱）のボックス構造として構成される。第１実施形態の本体部２１０は、カードを縦方向に収納していたが、第２実施形態では、カードを横方向に収納する。従って、第１実施形態では、やや縦長のバッグ型形状として本体部１１０が構成されていたが、第２実施形態では、やや横長のバッグ型形状として本体部２１０が構成される。
【００６９】
図９は、本発明の第２実施形態に係る上記の本体部２１０の展開図である。この本体部２１０は、紙や樹脂など、様々な材料により構成することができる。
【００７０】
さらに、本実施形態のカード収納体２００は、２つの取手２２０を備えることができる。取手２２０は、繊維、紙、樹脂など、様々な材料により構成することができる。また、本実施形態のカード収納体２００は、様々な形状、態様の取手を本体部２１０に付けることができるが、一切付けないようにすることもできる。
【００７１】
図９に示す展開図のように切り出された紙などの材料を適宜折り畳み（図９では、折り線を一点鎖線により示した）、必要に応じて接着剤やシール等を使用して固定することにより、図１０ないし図１３に示すような本体部２１０が形成され、さらに、取手２２０（２２０ａ、２２０ｂ）の端部は、両面シール等で本体部２１０に固定される。
【００７２】
図９に示す正面部２０１の裏側には、折り線Ａ’に沿って正面裏部２０１ａが折り曲げられる。さらに、第１左フラップ２３７ａと第１右フラップ２３７ｂが折り曲げられて正面部２０１と正面裏部２０１ａの間に配置され、この第１左フラップ２３７ａ、及び第１右フラップ２３７ｂと、正面部２０１の裏側が、接着剤等で固定される。正面裏部２０１ａには、カードが挿入される穴である第１カード挿入口２０１ｂが形成されている。
【００７３】
また、正面部２０１には、取手２２０ａの端部が挿入される穴である第１取手左挿入口２３５ａと第１取手右挿入口２３５ｂが配置され、さらに、正面部２０１の側部には、ロック機構の一部である突出部２３４ａと突出部２３４ｂが設けられ、それぞれ折り線Ｋ’、折り線Ｌ’に沿って、正面部２０１とほぼ直角に折り曲げられる。
【００７４】
底面部２０５は、折り線Ｂ’に沿って正面部２０１が折り曲げられ、折り線Ｃ’に沿って背面部２０２が折り曲げられることによって形成される。
【００７５】
図９に示す背面部２０２の裏側には、折り線Ｄ’に沿って背面裏部２０２ａが折り曲げられる。さらに、第２左フラップ２３８ａと第２右フラップ２３８ｂが折り曲げられて背面部２０２と背面裏部２０２ａの間に配置され、この第２左フラップ２３８ａ、及び第２右フラップ２３８ｂと、背面部２０２の裏側が、接着剤等で固定される。背面裏部２０２ａには、カードが挿入される穴である第２カード挿入口２０２ｂが形成されている。
【００７６】
また、背面部２０２には、取手２２０ｂの端部が挿入される穴である第２取手左挿入口２３１ａと第２取手右挿入口２３１ｂが配置される。
【００７７】
左側面部２０３は、折り線Ｅ’に沿って背面部２０２が（左側面部２０３とほぼ直角に）折り曲げられ、折り線Ｆ’に沿って左縁部２３２ａが（左側面部２０３とほぼ直角に）折り曲げられることで形成される。また、左側面部２０３の側部には、折り線Ｆ’に沿って、ロック機構の一部である切欠部２３６ａが設けられている。さらに、左側面部２０３の下側には、左側面延出部２３３ａが延び、折り線Ｇ’に沿って、左側面部２０３とほぼ直角に折り曲げられる。
【００７８】
右側面部２０４は、折り線Ｈ’に沿って背面部２０２が（右側面部２０４とほぼ直角に）折り曲げられ、折り線Ｉ’に沿って右縁部２３２ｂが（右側面部２０４とほぼ直角に）折り曲げられることで形成される。また、右側面部２０４の側部には、折り線Ｉ’に沿って、ロック機構の一部である切欠部２３６ｂが設けられている。さらに、右側面部２０４の下側には、右側面延出部２３３ｂが延び、折り線Ｊ’に沿って、右側面部２０４とほぼ直角に折り曲げられる。
【００７９】
取手２２０ａの端部は、第１取手左挿入口２３５ａと第１取手右挿入口２３５ｂにそれぞれ、正面部２０１の表側から裏側に向けて挿入され、両面シール等で固定された後、正面裏部２０１ａに挟持される。同様に、取手２２０ｂの端部は、第２取手左挿入口２３１ａと第２取手右挿入口２３１ｂにそれぞれ、背面部２０２の表側から裏側に向けて挿入され、両面シール等で固定された後、背面裏部２０２ａに挟持される。
【００８０】
なお、この例では、正面部２０１の表面、及び背面部２０２の表面は模様が付されていないが、１つ又は複数の模様を付してもよい。また、正面部２０１と背面部２０２の少なくとも一方について、模様を付すようにすることもできる。また、正面裏部２０１ａや背面裏部２０２ａの表面に上記のような模様を付して、カードとともに視認できるようにすることもできる。
【００８１】
このようにして構成された本実施形態に係るカード収納体２００は、図１０ないし図１３に示す通りの形状である。
【００８２】
図１０（ａ）は、カード収納体２００の正面図であり、正面部２０１と、正面部２０１に設けられた第１取手左挿入口２３５ａと第１取手右挿入口２３５ｂに挿入された取手２２０ａが示されている。
【００８３】
図１０（ｂ）は、カード収納体２００の背面図であり、背面部２０２と、背面部２０２に設けられた第２取手左挿入口２３１ａと第２取手右挿入口２３１ｂに挿入された取手２２０ｂが示されている。
【００８４】
図１１（ａ）は、カード収納体２００の左側面図であり、右側に取手２２０ａ、正面部２０１、及び切欠部２３６ａが示され、左側に取手２２０ｂと背面部２０２が示されている。
【００８５】
図１１（ｂ）は、カード収納体２００の右側面図であり、右側に取手２２０ｂと背面部２０２が示され、左側に取手２２０ａ、切欠部２３６ｂ、及び正面部２０１が示されている。
【００８６】
図１２（ａ）は、カード収納体２００の平面図であり、上側には、背面部２０２と取手２２０ｂが示され、下側には、正面部２０１と取手２２０ａが示されている。
【００８７】
図１２（ｂ）は、カード収納体２００の底面図であり、底面部２０５が示されている。
【００８８】
図１３は、カード収納体２００の斜視図である。ここでは、正面部２０１と背面部２０２が閉じた状態（例えば、正面部２０１の上端と背面部２０２の上端が接するよう配置された状態）が示されている。カード収納体２００を入手した者（例えば、プレゼントの贈り側）は、例えば、カード収納体２００の中にプリペイドカードとメッセージカードを収納し、このような閉じた状態にして、プレゼントの相手に手渡ししたり、贈ったりする。
【００８９】
カード収納体２００のこうしたデザイン性の高い外観により、これを受け取った者（プレゼントの相手）に（カード収納体２００のどのようなプレゼントが入っているか）大きな期待を抱かせることができる。
【００９０】
図１３の斜視図では、正面部２０１、右側面部２０４、取手２２０（２２０ａ、２２０ｂ）が表示され、正面部２０１の右側縁部の下側には、切欠部２３６ｂが示され、正面部２０１の対応する左側縁部には、切欠部２３６ａが示されている。
【００９１】
右側面部２０４と（この図では見えない）左側面部２０３が、正面部２０１（背面部２０２）の上端に向けて先細（テーパ状）となる形状（例えば、三角形）であるために、カード収納体２００は、底面部２０５を下にして安定的に自立することができ、そのバッグ型の形状とあいまって、デザイン性の高さがより強調され、結果的にプレゼント内容への期待感を高めることができる。
【００９２】
右側面部２０４と左側面部２０３は、この例では、三角形であるが、正面部２０１の上端や背面部２０２の上端の方向に向かって先細（テーパ状）となる台形等の形状であってもよい。
【００９３】
図１４は、カード収納体２００の斜視図であり、ここでは、正面部２０１と背面部２０２が開いた状態であり、正面部２０１と背面部２０２とが完全な見開き状態に遷移する途中の見開き状態（開放状態）である。なお、本明細書では、正面部２０１と背面部２０２の少なくともいずれかが回動され、正面部２０１の上端と背面部２０２の上端がわずかに開放された状態を含め、「見開き状態」と称する。こうした正面部２０１と背面部２０２の「見開き状態」において、正面部２０１の裏側と背面部２０２の裏側にそれぞれセットされた２枚のカードを同時に視認しうる構成となる。
【００９４】
一方、正面部２０１と背面部２０２の少なくともいずれかが回動され、正面部２０１の上端と背面部２０２の上端が接する状態の場合、カード収納体２００が「閉じた状態」であると称する。なお、カード収納体２００の左側面部２０３や右側面部２０４が台形のような図形である場合、正面部２０１の上端と背面部２０２の上端が接していなくても、これらが近接し、さらに、他の部材によってカード収納体２００の内部において概ね密閉された空間が形成されれば、その場合も「閉じた状態」であるとする。
【００９５】
図１４の斜視図では、正面部２０１と正面部２０１の上端付近から延びる取手２２０ａが示されている。また、正面部２０１には、正面部２０１から突出し、（折り曲げ等により）背面部２０２に対してほぼ直角に延びる突出部２３４ａ、２３４ｂが配置される。さらに、正面部２０１の下端から底面部２０５が延び、さらに、底面部２０５から正面部２０１の反対側に背面部２０２が延びるようになっている。このような構成により、正面部２０１と背面部２０２は、互いに回動可能な関係でそれぞれ底面部２０５に接続されることになる。
【００９６】
背面部２０２には、上端から取手２２０ｂが延び、背面部２０２の裏側には、背面部２０２と一体的に接着された背面裏部２０２ａが配置され、背面裏部２０２ａの中央部付近には、第２カード挿入口２０２ｂが配置されている。
【００９７】
背面部２０２の右側には、背面部２０２から延びる右側面部２０４、右側面部２０４から延びる右縁部２３２ｂが配置され、右側面部２０４と右縁部２３２ｂの折り目には（図９に示す折り線Ｉ’に沿って）切欠部２３６ｂが設けられている。また、右側面部２０４の下側からは、右側面延出部２３３ｂが延びている。
【００９８】
背面部２０２の左側には、背面部２０２から延びる左側面部２０３、左側面部２０３から延びる左縁部２３２ａが配置され、左側面部２０３と左縁部２３２ａの折り目には（図９に示す折り線Ｆ’に沿って）切欠部２３６ａが設けられている。また、左側面部２０３の下側からは、左側面延出部２３３ａが延びている。
【００９９】
正面部２０１の突出部２３４ａ、２３４ｂと、背面部２０２の左縁部２３２ａ、右縁部２３２ｂにそれぞれ設けられた切欠部２３６ａ、２３６ｂは、後で説明するロック機構を構成する。
【０１００】
正面部２０１の突出部２３４ａ、２３４ｂはそれぞれ、正面部２０１の上端を背面部２０２の上端に接するよう移動させると、対応する切欠部２３６ａ、２３６ｂに挿入され、正面部２０１の上端が背面部２０２の上端に接した状態（すなわち、正面部２０１と背面部２０２が閉じた状態）となり、この状態がそのまま維持される。
【０１０１】
正面部２０１と背面部２０２が閉じた状態になると、カード収納体２００を入手した者（例えば、プレゼントの贈り側やプレゼントの相手等）が所定の力を加えない限り開放状態とならない。正面部２０１と背面部２０２が開放状態となる場合、正面部２０１の突出部２３４ａ、２３４ｂはそれぞれ、対応する切欠部２３６ａ、２３６ｂから引き出される。また、販売時に固定用シールを同梱し、プレゼントの贈り側等が、この固定用シールを用いて、正面部２０１と背面部２０２が開放状態にならないように、正面部２０１の上端と背面部２０２の上端を固着させるようにすることもできる。
【０１０２】
なお、カード収納体２００の本体部２１０は、図９に示すような一繋がりの図形の紙等を適宜折り畳み接着することで構成できるが、個別のピースを接着・接続することで構成するようにしてもよい。
【０１０３】
図１５は、正面部２０１と背面部２０２が完全に開放された状態（完全な見開き状態）を示している。
【０１０４】
図１５では、正面部２０１の裏面である正面裏部２０１ａが示されており、取手２２０ａの端部はそれぞれ、正面部２０１の表面に設けられた第１取手左挿入口２３５ａと第１取手右挿入口２３５ｂにそれぞれ挿入され、正面部２０１と正面裏部２０１ａとに挟持される。このとき、正面部２０１と正面裏部２０１ａとの間には、例えば、両面シール２４１が配置され、取手２２０ａのそれぞれの端部を内部で固着する。
【０１０５】
同様に、取手２２０ｂの端部はそれぞれ、背面部２０２の表面に設けられた第２取手左挿入口２３１ａと第２取手右挿入口２３１ｂにそれぞれ挿入され、背面部２０２と背面裏部２０２ａとに挟持される。このとき、背面部２０２と背面裏部２０２ａとの間には、例えば、両面シール２４４が配置され、取手２２０ｂのそれぞれの端部を内部で固着する。
【０１０６】
また、正面部２０１と正面裏部２０１ａは、例えば、接着部２４２の領域において、接着剤や両面シール等により接着され、さらに、第１左フラップ２３７ａと正面部２０１の裏側、及び第１右フラップ２３７ｂと正面部２０１の裏側において、接着剤や両面シール等による接着が行われる。
【０１０７】
また、背面部２０２と背面裏部２０２ａは、例えば、接着部２４３の領域において、接着剤や両面シール等により接着され、さらに、第２左フラップ２３８ａと正面部２０１の裏側、及び第２右フラップ２３８ｂと正面部２０１の裏側において、接着剤や両面シール等による接着が行われる。
【０１０８】
このような接着により、正面裏部２０１ａに設けられた第１カード挿入口２０１ｂから、正面部２０１と正面裏部２０１ａとの間の非接着部分にカードを差し込むことができるように構成される（この場合、第１左フラップ２３７ａと正面裏部２０１ａの間、及び第１右フラップ２３７ｂと正面裏部２０１ａの間は、非接着部分となり、カードの挿入が可能となっている）。同様に、背面裏部２０２ａに設けられた第２カード挿入口２０２ｂから、背面部２０２と背面裏部２０２ａとの間の非接着部分にカードを差し込むことができるように構成される（この場合、第２左フラップ２３８ａと背面裏部２０２ａの間、及び第２右フラップ２３８ｂと背面裏部２０２ａの間は、非接着部分となり、カードの挿入が可能となっている）。
【０１０９】
図１６は、正面部２０１と背面部２０２が完全に開放された状態において、実際にカードが挿入された場合の様子を示している。
【０１１０】
正面部２０１には（正面裏部２０１ａに設けられた第１カード挿入口２０１ｂには）メッセージカード２５１が挿入され、メッセージカード２５１の上側約半分は、正面裏部２０１ａより露出して記載内容が視認できる状態となっており、メッセージカード２５１の下側約半分は、正面部２０１と正面裏部２０１ａとの間の非接着部分に格納される。
【０１１１】
背面部２０２には（背面裏部２０２ａに設けられた第２カード挿入口２０２ｂには）プリペイドカード２５２が挿入され、プリペイドカード２５２の上側約半分は、背面裏部２０２ａより露出して記載内容が視認できる状態となっており、プリペイドカード２５２の下側約半分は、背面部２０２と背面裏部２０２ａとの間の非接着部分に格納される。
【０１１２】
なお、この例では、メッセージカード２５１の下側約半分と、プリペイドカード２５２に下側約半分が、それぞれ正面裏部２０１ａの下側、背面裏部２０２ａの下側に隠れる構成となっているが、第１カード挿入口２０１ｂ、第２カード挿入口２０２ｂの位置を調整して、メッセージカード２５１、プリペイドカード２５２のより多くの部分が露出されるように構成することもできる。
【０１１３】
また、正面裏部２０１ａと背面裏部２０２ａの一部を透明部材として、カードの全範囲、又はより多くの範囲を視認可能とするように構成することもできる。
【０１１４】
またさらに、この例では、カードを、第１カード挿入口２０１ｂ、第２カード挿入口２０２ｂに挿入することにより保持したが、カードの対向角付近に切り欠きを設ける等して保持したり、他の保持部材を正面裏部２０１ａや背面裏部２０２ａに追加してカードを保持するようにしてもよい。
【０１１５】
本発明の第２実施形態に係るカード収納体２００によって、例えば、プレゼントを受け取った相手は、図１３に示すような自立するバッグ型のカード収納体２００の状態から、正面部２０１と背面部２０２を開放させて図１６のような見開きの状態にすることによって、内部に整然と配列された形で収納されたカードを２つ同時に視認することができ、この例では、左側にメッセージカード、右側にプリペイドカードを見ることとなる。
【０１１６】
このようなカード収納体２００の構成により、プレゼントを受け取った相手には、カード収納体２００を開ける前に大きな期待感が与えられ、カード収納体２００を開けた場合は、一瞬にして大きな感動を受けることができる。
【０１１７】
次に、図１７、及び図１８を参照して、本発明の第１実施形態に係るカード収納体１００におけるロック機構について説明する。なお、当該ロック機構は、上述した第２実施形態に係るカード収納体２００に関しても同様である。
【０１１８】
図１７（ａ）は、カード収納体１００の突出部１３４ａの拡大図である。突出部１３４ａは正面部１０１の側部から延びて正面部１０１にほぼ直角に折り曲げられている。図１７（ａ）では、突出部１３４ａ付近の正面部１０１の一部が示されているが、左側が正面部１０１の下端（底面部１０５に接続される位置）に向かう方向であり、右側が正面部１０１の上端に向かう方向である。
【０１１９】
突出部１３４ａは、正面部１０１の側部において正面部１０１の上端方向から下端方向に向けて延びる傾斜縁部１６１、傾斜縁部１６１の端部（正面部１０１に接続する端部と反対側の端部）に連接し正面部１０１の下端方向から上端方向に向けて延びる傾斜縁部１６２を備える。
【０１２０】
さらに、突出部１３４ａは、正面部１０１の側部において正面部１０１の下端方向から上端方向に向けて延びる傾斜縁部１６３、傾斜縁部１６３の端部（正面部１０１に接続する端部と反対側の端部）に連接し正面部１０１の上端方向から下端方向に向けて延びる傾斜縁部１６４を備える。
【０１２１】
ここで、傾斜縁部１６２は、傾斜縁部１６４より正面部１０１の下端に近い位置に配置される。また、ここでは、傾斜縁部１６１と傾斜縁部１６２によって形成される凸部を凸部Ｏとし、傾斜縁部１６３と傾斜縁部１６４によって形成される凸部を凸部Ｐとする。
【０１２２】
また、傾斜縁部１６２と正面部１０１の側部とのなす角は、角Ｑで表され、傾斜縁部１６４と正面部１０１の側部とのなす角は、角Ｒで表され、角Ｑ＞角Ｒの関係がある。
【０１２３】
また、傾斜縁部１６１と傾斜縁部１６３は、突出部１３４ａの上部から正面部１０１に向かって先細（テーパ状）となるよう構成されており、傾斜縁部１６１と正面部１０１とのなす角（９０度より小さい方の角）、及び傾斜縁部１６３と正面部１０１とのなす角（９０度より小さい方の角）はほぼ同一であり、さらに、傾斜縁部１６１の長さと傾斜縁部１６３の長さもほぼ同一に構成されている。しかしながら、このような傾斜縁部１６１と傾斜縁部１６３の角度と長さは様々な態様に設定することができる。
【０１２４】
例えば、傾斜縁部１６１と正面部１０１とのなす角が、傾斜縁部１６３と正面部１０１とのなす角より小さく、傾斜縁部１６１の長さを傾斜縁部１６３の長さより短くするように構成することができる。
【０１２５】
図１７（ｂ）ないし図１８（ｃ）は、正面部１０１と背面部１０２が、開放状態から閉じた状態に遷移する場合の、突出部１３４ａと対応する切欠部１３６ａの位置関係の推移を段階的に表している。
【０１２６】
図１７（ｂ）では、正面部１０１と背面部１０２が、閉じた状態となるよう（矢印Ｓの方向に）移動され、背面部１０２の切欠部１３６ａの端部Ｔが、正面部１０１からほぼ直角に延びる突出部１３４ａの傾斜縁部１６２（図１７（ａ）参照）に当接する。
【０１２７】
その後、背面部１０２等がさらに押し込まれて、正面部１０１と背面部１０２との距離が縮まると、図１７（ｃ）に示すように、切欠部１３６ａの端部Ｔが凸部Ｏ（図１７（ａ）参照）に押し当てられることで、正面部１０１は、矢印Ｖの方向（すなわち、正面部１０１の下端から上端に向かう方向）に少し押される。また、このとき、切欠部１３６ａの端部Ｕは、突出部１３４ａの傾斜縁部１６４に当接するが、正面部１０１の移動によって凸部Ｐ（図１７（ａ）参照）を超えることができない状態となっている。
【０１２８】
このような正面部１０１の移動は、背面部１０２との相対的な移動であるため、背面部１０２（の切欠部１３６ａ）が矢印Ｖと逆方向に押されたものと表現することもできる。このような相対的な移動は、正面部１０１、背面部１０２、底面部１０５、及び左側面部１０３の間の遊びやわずかな軋み・圧迫によって実現される。
【０１２９】
次に、背面部１０２等をさらに押し込むと、正面部１０１と背面部１０２との距離がさらに縮まり、図１８（ａ）に示すように、切欠部１３６ａの端部Ｔが凸部Ｏを超えて下側に移動し、突出部１３４ａの傾斜縁部１６１（図１７（ａ）参照）に当接又は近接し、これによって、正面部１０１は、矢印Ｗの方向（すなわち、正面部１０１の上端から下端に向かう方向）に戻る。
【０１３０】
このとき、切欠部１３６ａの端部Ｔが凸部Ｏを超えたことによって、切欠部１３６ａの端部Ｕは、突出部１３４ａの凸部Ｐを超える余裕が生じ、上述した背面部１０２等を押し込む力によって、切欠部１３６ａの端部Ｕが凸部Ｐを超えて下側に移動し、突出部１３４ａの傾斜縁部１６３（図１７（ａ）参照）に当接又は近接する位置関係となる。
【０１３１】
その後、背面部１０２等をさらに押し込むと、背面部１０２は、突出部１３４ａの傾斜縁部１６１と傾斜縁部１６３が、正面部１０１に向かって先細（テーパ状）の構造となっているため、図１８（ｂ）に示すように、ほとんど抵抗なく正面部１０１に近接し、閉じた状態に近づく。
【０１３２】
その後、図１８（ｃ）に示すように、正面部１０１と背面部１０２は、閉じた状態（ロック状態）となる。この状態では、上述のように、突出部１３４ａの傾斜縁部１６１と傾斜縁部１６３が、正面部１０１に向かって先細（テーパ状）の構造となっているため、切欠部１３６ａの端部Ｔと端部Ｕが、容易に突出部１３４ａの凸部Ｏと凸部Ｐを超えて、正面部１０１と背面部１０２のロック状態が容易に外れないようになっている。
【０１３３】
上記のロック状態は、カード収納体１００が放置されている状態では、自然に解除されることがなく、例えば、プレゼントを受け取った者が正面部１０１と背面部１０２を開放状態とするために（矢印Ｘの方向に）一定の力を加えた場合に解除される。正面部１０１と背面部１０２を開放状態とするのに大きな力が必要になると、開けにくい状態となったり、カード収納体１００の破損にもつながるため、ロック状態を解除するために必要な力の調整は慎重に行われる。このような調整は、例えば、突出部１３４ａの傾斜縁部１６１と傾斜縁部１６３の角度（正面部１０１との角度）を調整することにより行われる。
【０１３４】
また、図１７（ａ）で説明したように、傾斜縁部１６２と正面部１０１の側部とのなす角Ｑは、傾斜縁部１６４と正面部１０１の側部とのなす角Ｒより大きいため、切欠部１３６ａの端部Ｔが、急な角度（Ｑ）で配置された傾斜縁部１６２によって適切に突出部１３４ａの凸部Ｏにガイドされ、このとき、切欠部１３６ａの端部Ｕは、緩やか角度（Ｒ）で配置された傾斜縁部１６４のために、端部Ｕが傾斜縁部１６４にぶつかることなく、適切に突出部１３４ａの凸部Ｐに向けてガイドされる（図１７（ｂ）、図１７（ｃ）参照）。
【０１３５】
ここまで、本発明のカード収納体に関し、第１実施形態と第２実施形態について説明してきたが、本実施形態は一例に過ぎない。上記以外の様々な構成によって、本発明の技術的思想に基づくカード収納体を実現することができる。
【符号の説明】
【０１３６】
１００，２００・・・カード収納体
１０１，２０１・・・正面部
１０１ａ，２０１ａ・・・正面裏部
１０１ｂ，２０１ｂ・・・第１カード挿入口
１０２，２０２・・・背面部
１０２ａ，２０２ａ・・・背面裏部
１０２ｂ，２０２ｂ・・・第２カード挿入口
１０３，２０３・・・左側面部
１０４，２０４・・・右側面部
１０５，２０５・・・底面部
１１０，２１０・・・本体部
１２０ａ，１２０ｂ，２２０ａ，２２０ｂ・・・取手
１３４ａ，１３４ｂ，２３４ａ，２３４ｂ・・・突出部
１３６ａ，１３６ｂ，２３６ａ，２３６ｂ・・・切欠部
【図１】
2018083658.tif 000003
【図２】
2018083658.tif 000004
【図３】
2018083658.tif 000005
【図４】
2018083658.tif 000006
【図５】
2018083658.tif 000007
【図６】
2018083658.tif 000008
【図７】
2018083658.tif 000009
【図８】
2018083658.tif 000010
【図９】
2018083658.tif 000011
【図１０】
2018083658.tif 000012
【図１１】
2018083658.tif 000013
【図１２】
2018083658.tif 000014
【図１３】
2018083658.tif 000015
【図１４】
2018083658.tif 000016
【図１５】
2018083658.tif 000017
【図１６】
2018083658.tif 000018
【図１７】
2018083658.tif 000019
【図１８】
2018083658.tif 000020
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
正面部と、
前記正面部から延びる底面部と、
前記底面部から延びる背面部と、
前記背面部の左側に配置され、前記背面部に対してほぼ直角で前記正面部の方向に位置づけられる左側面部と、
前記背面部の右側に配置され、前記背面部に対してほぼ直角で前記正面部の方向に位置づけられる右側面部と、を備えた本体部を含むカード収納体であって、
前記正面部と前記背面部とが、回動可能な関係でそれぞれ前記底面部に接続され、
前記左側面部と前記右側面部はそれぞれ、前記背面部の上端に向かって先細の形状となっており、
前記正面部と前記背面部の少なくともいずれかの回動によって、前記正面部と前記背面部を、閉じた状態が維持された状態から見開き状態に遷移させることが、複数回可能であることを特徴とするカード収納体。
【請求項２】
前記カード収納体の内部であって前記正面部の裏側には、カードの一部が挿入される第１カード保持部が設けられ、
前記カード収納体の内部であって前記背面部の裏側には、カードの一部が挿入される第２カード保持部が設けられ、
前記正面部と前記背面部の少なくともいずれかを回動させて、前記正面部と前記背面部とが前記見開き状態となった場合に、前記第１カード保持部に保持された第１カードの表面の少なくとも一部と、前記第２カード保持部に保持された第２カードの表面の少なくとも一部を同時に視認しうる構成であることを特徴とする、請求項１に記載のカード収納体。
【請求項３】
前記正面部と前記背面部の少なくともいずれかの回動によって、前記正面部と前記背面部とを前記閉じた状態に遷移させる場合、前記正面部から突出して前記背面部に対してほぼ直角に延びる第１突出部が、前記左側面部の側部に形成された第１切欠部に挿入されるとともに、前記正面部から突出して前記背面部に対してほぼ直角に延びる第２突出部が、前記右側面部の側部に形成された第２切欠部に挿入されることによって、前記正面部と前記背面部の位置関係が維持されることを特徴とする、請求項１又は２に記載のカード収納体。
【請求項４】
前記第１突出部、及び前記第２突出部はそれぞれ、前記正面部の側部から延びる第１傾斜縁部、前記第１傾斜縁部に連接される第２傾斜縁部、前記正面部の側部から延び、前記第１傾斜縁部より前記正面部の上端に近い位置に配置される第３傾斜縁部、及び前記第３傾斜縁部に連接される第４傾斜縁部を含み、
前記第１傾斜縁部と前記第３傾斜縁部は、前記第１突出部、及び前記第２突出部のそれぞれが、前記正面部の側部に向けて先細の形状となるような傾斜をもって構成され、
前記第２傾斜縁部と前記正面部の側部とのなす角が、前記第４傾斜縁部と前記正面部の側部とのなす角より大きくなるよう構成されることを特徴とする、請求項３に記載のカード収納体。
【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
正面部と、
前記正面部から延びる底面部と、
前記底面部から延びる背面部と、
前記背面部の左側に配置され、前記背面部に対してほぼ直角で前記正面部の方向に位置づけられる左側面部と、
前記背面部の右側に配置され、前記背面部に対してほぼ直角で前記正面部の方向に位置づけられる右側面部と、を備えた本体部を含むカード収納体であって、
前記正面部と前記背面部とが、回動が可能な関係でそれぞれ前記底面部に接続され、
前記左側面部と前記右側面部はそれぞれ、前記背面部の上端に向かって先細の形状となっており、
前記正面部と前記背面部の少なくともいずれかの前記回動によって、前記正面部の上端と前記背面部の上端とが近接又は接する、閉じた状態が維持された状態から見開き状態に遷移させることが、複数回可能であり、
前記正面部と前記背面部の少なくともいずれかの前記回動によって、前記正面部と前記背面部とを前記閉じた状態に遷移させる場合、前記正面部から前記回動の方向に突出する第１突出部が、前記左側面部に形成された第１切欠部に挿入されるとともに、前記正面部から前記回動の方向に突出する第２突出部が、前記右側面部に形成された第２切欠部に挿入されることによって、前記正面部と前記背面部の位置関係が維持されることを特徴とするカード収納体。
【請求項２】
前記カード収納体の内部であって前記正面部の裏側には、カードの一部が挿入される第１カード保持部が設けられ、
前記カード収納体の内部であって前記背面部の裏側には、カードの一部が挿入される第２カード保持部が設けられ、
前記正面部と前記背面部の少なくともいずれかを回動させて、前記正面部と前記背面部とが前記見開き状態となった場合に、前記第１カード保持部に保持された第１カードの表面の少なくとも一部と、前記第２カード保持部に保持された第２カードの表面の少なくとも一部を同時に視認しうる構成であることを特徴とする、請求項１に記載のカード収納体。
【請求項３】
前記第１突出部、及び前記第２突出部はそれぞれ、前記正面部の側部から延びる第１傾斜縁部、前記第１傾斜縁部に連接される第２傾斜縁部、前記正面部の側部から延び、前記第１傾斜縁部より前記正面部の上端に近い位置に配置される第３傾斜縁部、及び前記第３傾斜縁部に連接される第４傾斜縁部を含み、
前記第１傾斜縁部と前記第３傾斜縁部は、前記第１突出部、及び前記第２突出部のそれぞれが、前記正面部の側部に向けて先細の形状となるような傾斜をもって構成され、
前記第２傾斜縁部と前記正面部の側部とのなす角が、前記第４傾斜縁部と前記正面部の側部とのなす角より大きくなるよう構成されることを特徴とする、請求項２に記載のカード収納体。